(57)【特許請求の範囲】
【請求項１】
アクセサリスイッチのＯＮとＯＦＦを検出するアクセサリスイッチＯＮ・ＯＦＦ検出手段と、
前記アクセサリスイッチＯＮ・ＯＦＦ検出手段でアクセサリスイッチがＯＦＦしたことを検出したときに、収納式モニタを展開して使用していた機器が映像出力機器であるか非映像出力機器であるかを分類し、映像出力機器であることを検出するモニタ使用機器検出手段と、
前記モニタ使用機器検出手段で前記収納式モニタを使用していた機器が映像出力機器であることを検出したとき、映像出力機器を使用していたことを更新して記憶するモニタ使用機器更新記憶手段と、
前記アクセサリスイッチＯＮ・ＯＦＦ検出手段でアクセサリスイッチがＯＮになったことを検出したときに、前記モニタ使用機器更新記憶手段に映像出力機器を使用していたことを記憶しているか否かを判別する前回モニタ使用機器映像出力機器判別手段と、
前記前回モニタ使用機器映像出力機器判別手段で映像出力機器を使用していたと判別したとき、前記アクセサリスイッチＯＮ・ＯＦＦ検出手段でアクセサリスイッチがＯＮしたことを検出した際に、前記収納式モニタを展開作動する指示を行い、
映像出力機器を使用していたと判別されなかったとき、前記収納式モニタを展開作動する指示を行わない、収納式モニタ展開作動指示手段とを備えたことを特徴とする収納式モニタ展開制御装置。
【請求項２】
アクセサリスイッチをＯＮしたとき常時収納式モニタを展開するか否かの設定を行う、アクセサリスイッチＯＮ時常時モニタ展開設定手段を備え、
前記収納式モニタ展開作動指示手段は、前記アクセサリスイッチＯＮ時常時モニタ展開設定手段でアクセサリスイッチＯＮ時に常時モニタを展開しない旨の設定を行っているときでも、前記前回モニタ使用機器映像出力機器判別手段で映像出力機器を使用していたと判別したときには、前記収納式モニタを展開作動する指示を行うことを特徴とする請求項１記載の収納式モニタ展開制御装置。
【請求項３】
前記モニタ使用機器更新記憶手段には、アクセサリスイッチがＯＦＦしたときに収納式モニタを使用していた機器を記憶し、
前記収納式モニタ展開作動指示手段では、収納式モニタの展開指示を出力するとき、前記モニタ使用機器更新記憶手段に記憶していた機器を作動する指示出力も行うことを特徴とする請求項１記載の収納式モニタ展開制御装置。
【請求項４】
前記収納式モニタ展開作動指示手段は、車両のダッシュボード部分に配置した収納式モニタ、または車両の後部座席の利用者用の収納式モニタ、或いは両者に指示を行うことを特徴とする請求項１記載の収納式モニタ展開制御装置。
【発明の詳細な説明】
【技術分野】
【０００１】
本発明は例えばナビゲーション装置やテレビ等の画像や映像を表示するモニタをダッシュボート等に収納し、必要なときにこれを展開して使用する収納式モニタにおいて、利用者が希望すると推定されるときに、自動的に展開することができるようにした収納式モニタ展開制御装置に関する。
【背景技術】
【０００２】
近年の車載機機として、ナビゲーション装置が広く普及しており、標準装備品として、あるいはオプション等としてダッシュボードに取り付けられるようになっている。このナビゲーション装置においては、地図画面表示やガイド表示、あるいは各種情報の表示のためにモニタは必須の装置である。このようなモニタは小さ過ぎるとその表示が見にくくなるのである程度の大きさが必要となる。
【０００３】
しかしながら、大きなモニタをダッシュボード近傍に常時突出させて設置しておくと、運転者の視界のじゃまになるほか、車内での何らかの作業の際に身体が接触して破損する恐れもある。また、使用しないモニタを車内に突出させておくことは車内の美観をそこない、また設置したモニタの背部に機器やその操作部、或いはエアコンの吹き出し口等が存在する時には、それらの機器の作動や操作を行うことができない、等の問題もある。
【０００４】
そのため、このモニタをできる限りダッシュボードから突出させないことが好ましいものの、大きなモニタをダッシュボードの表面に沿って配置することは、ダッシュボードには他の車載機機としてのオーディオ装置やエアコン等の操作部、或いは吹き出し口を設けることが多く、設置スペースの点で互いに競合し、両者を満足させることはできない。
【０００５】
したがって、できる限り見やすい大きなモニタを設置することができ、これを常時ダッシュボードから突出させることがなく、しかも他の車載機器の設置スペースを確保する、という観点から、例えば図３（ａ）に示すように、モニタの不使用時にはダッシュボード内に格納しているヘッドユニット等の本体Ｂにモニタを収納しておき、モニタを使用するときは一部表面に出ている頭部の操作スイッチＳ等を操作することにより、同図（ｂ）に示すようにモニタＭの展開するようにした通称インダッシュモニタと称する収納式モニタを設けることも多い。図示の例においては、このようなモニタＭ展開状態から操作スイッチＳを操作することにより、再び本体Ｂ内に収納可能となる
【０００６】
このインダッシュモニタは、前記のナビゲーション装置に限らず、テレビやＤＶＤ用のモニタとして用いられ、また、オーディオ機器の作動状態を示す大型ディスプレーとして用いる場合もある。更に車両に搭載した車外を撮影するカメラの映像表示や、車両に搭載した各種機器の操作部として用い、また車両自体の各種情報の表示装置としても用いられることがある。このような機器のモニタあるいはディスプレイとして用いるときには、これらの機器の使用時にダッシュボードから展開して使用することとなるため、車載機器の大きさの規格である１ＤＩＮ等の所定の大きさとして、ダッシュボードに収納することとなる。
【０００７】
なお、上記のような収納式モニタにおいて、モニタの展開指示を行うとき、ワンタッチでモニタ展開後の所望の機器の所望の作動を行わせるようにした技術は特許文献１に開示されている。
【先行技術文献】
【特許文献】
【０００８】
【特許文献１】特開２００１−３０８４９号公報
【発明の概要】
【発明が解決しようとする課題】
【０００９】
上記のような収納式モニタを用いるとき、例えばナビゲーション装置を利用したいと思った際には、収納式モニタにおける例えば図３（ａ）のような収納式モニタの収納状態で操作ボタンＢを押すことにより、図３（ｂ）のように展開し、更にこの状態でモニタを使用する、例えばナビゲーション装置を作動して、モニタにナビゲーション画面を表示することとなるか、或いは前回このモニタを使用していた機器がナビゲーション装置であるときには自動的にナビゲーション画面を表示する。
【００１０】
このように、モニタを使用するときにモニタ展開用のスイッチ操作を行うように設定しておくと、車両を運転しようとしてエンジンのキースイッチ操作を行い、少なくとも車内の電源系統を操作するアクセサリスイッチ（ＡＣＣ ＳＷ）をＯＮした状態で、モニタ展開用のスイッチ操作を行う必要があるため、手数を要して煩わしい。そのため予めエンジンのキースイッチ操作を行うとき、特にキースイッチ操作においてアクセサリスイッチをＯＮにしたとき、自動的にモニタを展開する機能を設け、この機能を使用するように初期設定している際には、アクセサリスイッチがＯＮになったときに、自動的にモニタを展開させることが考えられる。
【００１１】
しかしながら、上記のような機能を設けると、逆にアクセサリスイッチをＯＮにしたとき自動的にモニタを展開しないように設定した場合には、アクセサリスイッチをＯＮにしたときには常時モニタが展開されないため、モニタを展開させたいと思ったとき、そのたび毎にモニタを展開するスイッチを操作しなければならず、実質的に前記機能を備えていないものと同じになってしまう。
【００１２】
そのため、同じ利用者が同一の車両を運転しているときでも、例えば最初はアクセサリスイッチをＯＮにするたびにモニタが展開することは好ましくないと思って、その機能を使用しないように設定したときでも、その後例えば利用者が好きな高校野球大会が始まっている場合のように、車に乗り込んだときには直ちにテレビでその戦いの状況や経過を見たいと思った場合、アクセサリスイッチをＯＮしたときには直ちにモニタを展開してとりあえずテレビを見たいと思うことがある。
【００１３】
その際は前記機能を利用するように設定変更しておくことも可能であるが、このようなアクセサリスイッチをＯＮにしたときに自動的にモニタを展開するか否かの機能設定は、例えば作動機構の機能設定、モニタ作動の機能設定、モニタの展開作動設定、ＡＣＣ ＳＷとの連動展開設定、連動機能のＯＮ  ＯＦＦ設定、のように機能設定の深い部分に存在し、最終的な設定を行うまでに多くの選択を行ってから最終的に設定することとなるため、極めて面倒な作業とならざるを得ない。
【００１４】
そのため設定変更が煩わしく、以前に前記機能設定をしたまま使用することとなり、前記のようにアクセサリスイッチをＯＮしたときに自動的にモニタを展開しないように設定していた場合において、その後アクセサリスイッチをＯＮしたときには直ちにテレビを見たいと思った場合には、結局アクセサリスイッチをＯＮした後にいつも手動でモニタ展開指示を行わなければならない。
【００１５】
したがって本発明は、利用者がアクセサリスイッチをＯＮしたときに自動的にモニタを展開することが好ましいと推定される場合には、利用者が手動でモニタの展開指示を行うことなく、自動的にアクセサリスイッチをＯＮしたときに、モニタを展開することができるようにしたモニタ展開制御装置を提供することを主たる目的とし、この作動はアクセサリスイッチをＯＮしたときに自動的にモニタを展開しないように設定していた場合においても作動させることができるようにすることを目的とする。
【課題を解決するための手段】
【００１６】
本発明に係る収納式モニタ展開制御装置は、前記課題を解決するため、アクセサリスイッチのＯＮとＯＦＦを検出するアクセサリスイッチＯＮ・ＯＦＦ検出手段と、前記アクセサリスイッチＯＮ・ＯＦＦ検出手段でアクセサリスイッチがＯＦＦしたことを検出したときに、収納式モニタを展開して使用していた機器が映像出力機器であるか否かを検出するモニタ使用機器検出手段と、前記モニタ使用機器検出手段で前記収納式モニタを使用していた機器が映像出力機器であることを検出したとき、映像出力機器を使用していたことを更新して記憶するモニタ使用機器更新記憶手段と、前記アクセサリスイッチＯＮ・ＯＦＦ検出手段でアクセサリスイッチがＯＮになったことを検出したときに、前記モニタ使用機器更新記憶手段に映像出力機器を使用していたことを記憶しているか否かを判別する前回モニタ使用機器映像出力機器判別手段と、前記前回モニタ使用機器映像出力機器判別手段で映像出力機器を使用していたと判別したとき、前記アクセサリスイッチＯＮ・ＯＦＦ検出手段でアクセサリスイッチがＯＮしたことを検出した際に、前記収納式モニタを展開作動する指示を行う収納式モニタ展開作動指示手段とを備えたことを特徴とする。
【００１７】
また、本発明に係る他の収納式モニタ展開制御装置は、前記収納式モニタ展開制御装置において、アクセサリスイッチをＯＮしたとき常時収納式モニタを展開するか否かの設定を行う、アクセサリスイッチＯＮ時常時モニタ展開設定手段を備え、前記収納式モニタ展開作動指示手段は、前記アクセサリスイッチＯＮ時常時モニタ展開設定手段でアクセサリスイッチＯＮ時に常時モニタを展開しない旨の設定を行っているときでも、前記前回モニタ使用機器映像出力機器判別手段で映像出力機器を使用していたと判別したときには、前記収納式モニタを展開作動する指示を行うことを特徴とする。
【００１８】
また、本発明に係る他の収納式モニタ展開制御装置は、前記収納式モニタ展開制御装置において、前記モニタ使用機器更新記憶手段には、アクセサリスイッチがＯＦＦしたときに収納式モニタを使用していた機器を記憶し、前記収納式モニタ展開作動指示手段では、収納式モニタの展開指示を出力するとき、前記モニタ使用機器更新記憶手段に記憶していた機器を作動する指示出力も行うことを特徴とする。
【００１９】
また、本発明に係る他の収納式モニタ展開制御装置は、前記収納式モニタ展開制御装置において、前記収納式モニタ展開作動指示手段は、車両のダッシュボード部分に配置した収納式モニタ、または車両の後部座席の利用者用の収納式モニタ、或いは両者に指示を行うことを特徴とする。
【発明の効果】
【００２０】
本発明は上記のように構成したので、利用者がアクセサリスイッチをＯＮしたときに自動的にモニタを展開することが好ましいと推定される場合には、利用者が手動でモニタの展開指示を行うことなく、自動的にアクセサリスイッチをＯＮしたときに自動的にモニタを展開することができるようになる。またこの作動は、アクセサリスイッチをＯＮしたときに自動的にモニタを展開しないように設定していた場合においても作動させることことが可能となる。
【図面の簡単な説明】
【００２１】
【図１】本発明の実施例の機能ブロック図である。
【図２】同実施例の作動フロー図である。
【図３】収納式モニタの収納状態と展開状態を示す図である。
【発明を実施するための形態】
【実施例】
【００２２】
本発明の実施例を図面に沿って説明する。図１は本発明の実施例の機能ブロック図である。同図においてアクセサリスイッチＯＮ・ＯＦＦ検出部１では、多くの場合車両のキースイッチに連動して操作されるアクセサリスイッチが、ＯＮであるか或いはＯＦＦであるかを検出する。特に本発明においてはこのアクセサリスイッチＯＮ・ＯＦＦ検出部１で、アクセサリスイッチがＯＦＦになったか否かを検出し、ＯＦＦになった時の信号をモニタ使用機器検出部２に出力すると共に、ＯＮになったときの信号を後述するように前回モニタ使用機器読込部６に出力する。
【００２３】
モニタ使用機器検出部２においては、前記のようにアクセサリスイッチＯＮ・ＯＦＦ検出部１でアクセサリスイッチがＯＦＦになったことを検出したときの信号を入力し、アクセサリスイッチがＯＦＦになったときにモニタを使用していた機器はどのような機器であるかを検出する。その際は同図に示すように、特に映像出力機器３を使用していたか、非映像出力機器４を使用していたかを検出する。
【００２４】
この時の映像出力機器３としては、例えばテレビチューナー、ＤＶＤ再生器、車外撮影カメラの映像出力機器等が含まれる。ナビゲーション装置の地図画面等はここに含めず、非映像出力機器４にしておくこともできるが、これを映像出力機器に設定しておくことも可能である。非映像出力機器４としては、例えばオーディオ機器の作動状態を示すディスプレーとしてモニタを用いる場合におけるオーディオ機器、車両に搭載した各種機器の操作部を表示し、タッチパネルとしてモニタを用いるときのような指示信号入力装置、等々の各種機器を非映像出力機器４として設定しておくことができる。また、前記のようにナビゲーション装置については非映像出力機器４として設定し、また車外撮影カメラの映像出力機器についても、非映像出力器のグループに入れておく等の種々の設定も可能である。
【００２５】
モニタ使用機器更新記憶部５においては、最低限の機能として、アクセサリスイッチがＯＦＦになったとき、モニタ使用機器検出部２で前記のように、モニタを使用していた機器が映像出力機器３に分類している機器であったか、或いは非映像出力機器に分類している機器であったか、即ち映像出力機器を使用していたか否かの検出結果に基づき、映像出力機器を使用していた時にはその旨の信号を入力して記録する。その際には、先に記憶していたデータが映像出力機器を使用していない旨のデータが記憶されていても、これを更新して記憶する。
【００２６】
このモニタ使用機器更新記憶部５では、最低限の機能として、アクセサリスイッチをＯＦＦしたときのモニタ使用機器が映像出力機器として分類している機器であるか否かのデータを記録しておけばよいので、例えば制御用ソフトにおいてフラグ検出部を設け、映像出力機器を使用していたときに制御ソフトに単にフラグを立てておき、本発明の作動ソフトでこのフラグを検出することにより以降の作動を行うように設定することもできる。その際にはフラグを立てる機能部分がモニタ使用機器更新記憶部５となる。
【００２７】
モニタ使用機器更新記憶部５では前記のように最低限の機能として、アクセサリスイッチをＯＦＦしたときにモニタに出力していた機器が映像出力機器に分類される機器であることを検出して記憶すれば良いが、それ以外に例えば映像出力機器がテレビであったか、ＤＶＤであったか、更にはテレビであるときどこの放送局であったか、ＤＶＤのときはどの部分を再生していたか等のデータもラストモードとして記憶しておき、その後アクセサリスイッチをＯＮしたとき前回モニタ使用機器読込部６でこのデータを読み込んで、モニタ展開時に同じ放送局の選択、続きの再生等を直ちに行う等の作動のために使用することも可能である。
【００２８】
また、このモニタ使用機器更新記憶部５にはアクセサリスイッチをＯＦＦしたときにモニタを使用していた場合に、そのモニタを使用していた機器が映像出力機器であったか否かの記憶以外に、非映像出力機器であったときでも、その機器の種類、作動状態を記憶しておいても良い。その場合にはその後、後述するようにアクセサリスイッチＯＮ時常時モニタ展開設定部８において、アクセサリスイッチがＯＮしたときには常時モニタを展開するように設定しているときに、その際のモニタ展開時には前回モニタ使用機器読込部６で読み込んだモニタ使用機機更新記憶部５の前記データに基づき、例えばオーディオ機器操作用タッチパネル画面を直ちに表示する、等の各種ラストモード表示を行うことができるようにしても良い。
【００２９】
前回モニタ使用機器読込部６では前記のように、アクセサリスイッチＯＮ・ＯＦＦ検出部１からアクセサリスイッチがＯＮになった信号を入力したとき、モニタ使用機器更新記憶部５に前記のように記憶しているデータを読み込み、図示の例では前回モニタ使用機器映像出力機器判別部７に出力している。
【００３０】
この前回モニタ使用機器読込部６では、前記のようにアクセサリスイッチＯＮ・ＯＦＦ検出部１でアクセサリスイッチがＯＮになったことを検出したとき常にその読み込み作動を行うようにすることもできるが、後述するアクセサリスイッチＯＮ時常時モニタ展開設定部８で、アクセサリスイッチＯＮ時に常時モニタを展開するように設定しているときには、この読み込み作動を行わないようにしておくこともできる。
【００３１】
前回モニタ使用機器映像出力機器判別部７では、前回モニタ使用機器読込部６で読み込んだモニタ使用機器更新記憶部５に、前回のモニタ使用機器がどのような機器であったかのデータに基づき、その機器が映像出力機器であるか否かを判別する。この時、モニタ使用機器更新記憶部５に、単に使用機器が映像出力機器に属する機器であるか否かのデータのみが記憶されているときには、そのデータを読み込むことにより判別することができる。
【００３２】
前回モニタ使用機器映像出力機器判別部７で、前回モニタを使用していた機器は映像出力機器であったと判別したときには、その信号を収納式モニタ展開作動指示部９に出力し、収納式モニタ展開作動指示部９はこの時未だ内部にモニタを収納しているモニタ内蔵ヘッドユニット１０に対して、モニタを展開する指示を行う。
【００３３】
それにより図１に示すような収納式モニタ１１がモニタ内蔵ヘッドユニット１０内から展開する。特にモニタ使用機器更新記憶部５に、アクセサリスイッチをＯＦＦしたとき、テレビ受信機の映像を表示し、そのテレビ受信機で受信していた放送局を記憶しているときには、直ちにその放送局の映像を受信する指示がなされ、アクセサリスイッチをＯＦＦするまで見ていた、例えば高校野球等のテレビ映像を直ちに見ることができるようになる。
【００３４】
アクセサリスイッチＯＮ時常時モニタ展開設定部８では、予めアクセサリスイッチがＯＮになったとき収納式モニタを直ちに展開するように初期設定するものであり、ここにこのような作動を行う設定がなされているときには、収納式モニタ展開作動指示部９は、アクセサリスイッチＯＮ・ＯＦＦ検出部１でアクセサリスイッチがＯＮになったことを検出したとき、モニタ内蔵式ヘッドユニット１０に対して、直ちに収納式モニタ１１を展開する旨の指示を行う。
【００３５】
このような構成により、収納式モニタ展開作動指示部９は、アクセサリスイッチＯＮ時常時モニタ展開設定部８で、アクセサリスイッチがＯＮ時にモニタを展開する初期設定をしているときに、アクセサリスイッチがＯＮになった時直ちに収納式モニタを展開する以外に、アクセサリスイッチがＯＮになったとき収納式モニタを展開しないように設定しているときでも、アクセサリスイッチＯＮ・ＯＦＦ検出部１でアクセサリスイッチがＯＮになったことを検出したときには、前回モニタ使用機器読込部６でモニタ使用機器更新記憶部５に、前回モニタを使用していた機器が映像出力機器であることを記憶しているときには、収納式モニタを自動的に展開することが可能となる。
【００３６】
前記のような機能ブロックからなる収納式モニタ制御装置は、例えば図２に示すような作動フローにより順に作動させることによって実施することができる。即ち、図２に示すモニタ展開作動処理の例においては、最初車両の電源系統が作動中の状態から開始するものとし（ステップＳ１）、それによりこの車両のアクセサリスイッチはＯＮになっている状態から作動する例を示している。
【００３７】
その後アクセサリスイッチをＯＦＦにしたか否かを判別し（ステップＳ２）、未だアクセサリスイッチをＯＦＦにしていないと判別したときにはこの作動を繰り返して待機する。ステップＳ２においてアクセサリスイッチがＯＦＦになったと判別したときには、アクセサリスイッチをＯＦＦした直前に映像出力機器を使用していたか否かを判別する（ステップＳ３）。
【００３８】
ここでアクセサリスイッチＯＦＦ直前に映像出力機器を使用していたと判別したときには、図示の例では最終使用機器を映像出力機器として記憶する（ステップＳ４）。これらの作動は、図１の例ではアクセサリスイッチＯＮ・ＯＦＦ検出部１でアクセサリスイッチがＯＦＦになったことを検出したとき、モニタ使用機器検出部２が映像出力機器３であることを検出し、そのことをモニタ使用機器更新記憶部５に記憶することにより行っている。これは前記図１の説明において、モニタ使用機器更新記憶部５に、本発明を最低限の態様で実施する為に記憶するデータとして示している例に相当する。
【００３９】
その後アクセサリスイッチはＯＮになったか否かを判別し（ステップＳ５）、未だアクセサリスイッチはＯＮになって以内と判別したときにはこの作動を繰り返して待機し、アクセサリスイッチがＯＮになったと判別したときには、アクセサリスイッチＯＮ時に常時モニタ自動展開に設定しているか否かを判別する（ステップＳ６）。
【００４０】
ここでアクセサリスイッチのＯＮ時に常時モニタ自動展開に設定していると判別したときには、その設定のとおり直ちにモニタを展開する（ステップＳ７）。ステップＳ６においてアクセサリスイッチがＯＮ時に常時モニタを自動展開する旨の設定を行っていないと判別したときには、前回の最終使用機器は映像出力機器として記憶しているか否かを判別する（ステップＳ８）。
【００４１】
この作動は図１の前回モニタ使用機器読込部６で、アクセサリスイッチＯＮ時常時モニタ展開設定部８においてアクセサリスイッチがＯＮ時に常時モニタを展開するように設定していない信号により、アクセサリスイッチＯＮ・ＯＦＦ検出部１からアクセサリスイッチがＯＮになった信号を入力したとき、モニタ使用機器更新記憶部５に記憶しているモニタ使用機器のデータを読み込み、前回モニタ使用機器映像出力機器判別部７において、そのデータに基づき判別することによって行っている。
【００４２】
ステップＳ８で前回の最終使用機器が映像出力機器として記憶していると判別したときにはステップＳ７に進み、モニタを展開する。それに対して前回の最終使用機器は映像出力機器ではないと判別したときには、ステップＳ９に進んでモニタを展開しない。この作動により、ステップＳ６でアクセサリスイッチＯＮ時に常時モニタを自動展開するように設定していないと判別し、且つ前回の最終使用機器が映像出力機器として記憶していないと判別したときのみ、モニタを自動展開しない作動を行うこととなる。
【００４３】
前記実施例においては、車両のダッシュボード部分に配置した収納式モニタの展開作動に適用した例を示したが、車両の後部座席用に設けている収納式モニタにも適用することもでき、更に車両の後部座席用に設けている収納式モニタを、コンソールボックス部分に配置した収納式モニタの展開作動と連動して作動するように設定することもできる。このときの車両の後部座席用に設けている収納式モニタとしては、後部座席の直前或いは下方に設けている収納式モニタ以外に、近年普及している車両の天井部分から下方に展開する収納式モニタに対しても適用可能である。
【００４４】
また、前記実施例では収納式モニタをアクセサリスイッチがＯＮになったとき、常時収納式モニタを展開する設定を行う機能を備えているときの例を示したが、そのような機能を備えない場合も本発明を適用することにより、少なくとも前回映像出力機器を使用していたことを検出した際には、自動的に収納式モニタを展開するように設定することができる。
【符号の説明】
【００４５】
１  アクセサリスイッチＯＮ・ＯＦＦ検出部
２  モニタ使用機器検出部
３  映像出力機器
４  非映像出力機器
５  モニタ使用機器更新記憶部
６  前回モニタ使用機器読込部
７  前回モニタ使用機器映像出力機器判別部
８  アクセサリスイッチＯＮ時常時モニタ展開設定部
９  収納式モニタ展開作動指示部
１０  モニタ内蔵ヘッドユニット
１１  収納式モニタ
【図１】
0005501011.tif 000002
【図２】
0005501011.tif 000003
【図３】
0005501011.tif 000004